(57)【要約】【課題】光ピックアップを摺動可能に保持するガイド部を金属シャフトを用いて架台に組み込む構成においては光ディスク装置が厚くなり、材料コストも高いものとなる。【解決手段】第１の規制部１１ａは凸状係合部１２ｂの上方への動きを規制しており、第２の規制部１１ｂは凸状係合部１２ｂの下方への動きを規制している。また第１の規制部１１ａと第２の規制部１１ｂは凸状係合部１２ｂをディスク半径方向に摺動可能かつ信号再生、記録に支障が無い適切なクリアランスを維持しながら挟持している。【選択図】図２
2005222635.tif 000002
【特許請求の範囲】
【請求項１】
円盤状記録媒体に対して信号を記録再生するために、光ピックアップを前記円盤状記録媒体の半径方向に往復移動可能に構成した光ディスク装置であって、架台と、前記架台に配され前記光ピックアップを移動案内するために前記光ピックアップを挟んで対向する位置に略平行に配された第１及び第３のガイド部と、前記光ピックアップにおける前記第３のガイド部側に設けられ凹部を有する係合部とを備え、
前記第３のガイド部は、前記係合部の上方向への位置規制を行う第１の規制部と、前記係合部の下方向への位置規制を行う第２の規制部とからなり、前記第２の規制部は前記係合部の凹部内に配置させたことを特徴とする光ディスク装置。
【請求項２】
第１及び第２の規制部は、架台に一体に設けたことを特徴とする請求項１記載の光ディスク装置。
【請求項３】
円盤状記録媒体に対して信号を記録再生するために、光ピックアップを前記円盤状記録媒体の半径方向に往復移動可能に構成した光ディスク装置であって、前記光ピックアップの駆動装置側の他端に凸状係合部と、前記架台において一体に立設する断面形状で、かつ光ディスクの半径方向に沿うように延設され、前記基台部を光ディスクの半径方向に規制しながらガイドする第１の規制部と、同じく前記架台において一体に立設する断面形状で、かつ光ディスクの半径方向に沿うように延設され、前記基台部を光ディスクの半径方向に規制しながらガイドする第２の規制部とを備え、前記凸状係合部を第１の規制部と第２の規制部で光ピックアップをディスク半径方向に摺動可能かつ性能維持可能なクリアランスを持って保持することを特徴とする光ディスク装置。
【発明の詳細な説明】
【技術分野】
【０００１】
本発明は、ＤＶＤ（デジタル多用途ディスク）プレーヤ／レコーダーやコンパクトディスクプレーヤ等の光ディスク記録再生装置に関するものである。
【背景技術】
【０００２】
光ディスク装置はＤＶＤやコンパクトディスク等への記録および再生装置として実用に供されている。これらＤＶＤやコンパクトディスク等には内周から外周まで連続して信号が記録されており、この回転するＤＶＤやコンパクトディスク等から信号を連続して記録、再生するためには、光ピックアップを架台上においてＤＶＤやコンパクトディスク等の半径方向に往復移動可能に構成しなければならない。そのために架台上には光ピックアップをＤＶＤやコンパクトディスク等の半径方向に案内するガイド部を設け、光ピックアップにはガイド部と摺動可能に係合する係合部を設けている。また、架台上には光ピックアップをガイド部に沿って往復駆動させるための駆動手段を設けている。
【０００３】
図３はこの光ディスク装置の構成を示したものであり、図４はその断面図であって、１は架台、２は駆動側に設けた螺旋状溝２ａを有する第１のガイドシャフト、３は他方に設けた第２のガイド部、４は第１の係合部４ａと第２の係合部４ｂを有する光ピックアップ、５はモータ、６〜８はモータ５の回転を第１のガイドシャフト２に伝える歯車、９は光ピックアップ４に固定され第１のガイドシャフト２の螺旋状溝に嵌合するように構成した線バネである。このように第２のガイド部３は金属で棒状に形成された金属シャフトであり、コストが高いという欠点があった。
【０００４】
また組み立てにおいても金属シャフトからなる第２のガイド部３を架台１に組付けるためには工数がかかるという問題があった。
【０００５】
この改善策として、第２のガイド部を架台と一体に構成する方法がある。図５はこの方法による光ディスク装置の実装形態を示すための説明図であり、図６はその断面図であって、１ｃは架台に一体に構成した第３のガイド部である。しかしながらこの方法でも金型構成上発生する開口部１ｂによる強度低下を補うために補強リブ１ａが必要であり、製品全体の厚みが増える。
【特許文献１】特開平８−１１２４８１号公報
【発明の開示】
【発明が解決しようとする課題】
【０００６】
解決しようとする問題点は、ローコスト化を図った光ディスク装置において製品全体の厚みが増え、この製品を搭載する商品の薄型化が実現できない点である。
【０００７】
本発明は、架台に一体に設けたガイド部と光ピックに設けた係合部が薄いスペース内で係合可能な構成としたことを最も主要な特徴とする。
【課題を解決するための手段】
【０００８】
本発明は、架台に一体に設けたガイド部と光ピックに設けた係合部が薄いスペース内で係合可能な構成としたことを最も主要な特徴とする。
【発明の効果】
【０００９】
本発明の光ディスク装置は、光ピックに凸状係合部を設け、前期凸状係合部を挟み込む規制部を架台に一体に構成したので薄型化が実現可能となり、さらに組み付け工程が容易化され作業能率が向上するという優れた効果を奏し、また、規制部を架台と一体形成することで部品点数が削減されて製造コストが低減されるとともに品質の向上するという利点がある。
【発明を実施するための最良の形態】
【００１０】
本発明の請求項１記載の発明は、円盤状記録媒体に対して信号を記録再生するために、光ピックアップを前記円盤状記録媒体の半径方向に往復移動可能に構成した光ディスク装置であって、架台と、前記架台に配され前記光ピックアップを移動案内するために前記光ピックアップを挟んで対向する位置に略平行に配された第１及び第３のガイド部と、前記光ピックアップにおける前記第３のガイド部側に設けられ凹部を有する係合部とを備え、前記第３のガイド部は、前記係合部の上方向への位置規制を行う第１の規制部と、前記係合部の下方向への位置規制を行う第２の規制部とからなり、前記第２の規制部は前記係合部の凹部内に配置させたことを特徴とするものであり、これにより、光ピックアップを薄型化することができ、したがって光ディスク装置全体を薄型化することができる。
【００１１】
請求項２に記載の発明は、第１及び第２の規制部は、架台に一体に設けたものであり、これにより、部品点数を削減しコストダウンすることができ、また組み付け工程が容易化され作業能率が向上する。
【００１２】
請求項３に記載の発明は、円盤状記録媒体に対して信号を記録再生するために、光ピックアップを前記円盤状記録媒体の半径方向に往復移動可能に構成した光ディスク装置であって、前記光ピックアップの駆動装置側の他端に凸状係合部と、前記架台において一体に立設する断面形状で、かつ光ディスクの半径方向に沿うように延設され、前記基台部を光ディスクの半径方向に規制しながらガイドする第１の規制部と、同じく前記架台において一体に立設する断面形状で、かつ光ディスクの半径方向に沿うように延設され、前記基台部を光ディスクの半径方向に規制しながらガイドする第２の規制部とを備え、前記凸状係合部を第１の規制部と第２の規制部で光ピックアップをディスク半径方向に摺動可能かつ性能維持可能なクリアランスを持って保持することを特徴とするものであり、これにより、光ピックの係合部と架台のガイド部を可能な限り厚み方向に薄く構成するという目的を、最小の部品点数で、性能を損なわずに実現した。
【００１３】
（実施の形態１）
図１は、本発明装置の実施の形態１の構成を示す平面図であり、図２はその断面図である。
【００１４】
図において、１は架台、２は駆動側に設けた螺旋状溝２ａを有する第１のガイド部で、本実施の形態では棒状のシャフトを用いた。この第１のガイド部２が回転することで、螺合した光ピックアップ４をディスクの半径方向（矢印Ａ方向）へ移動案内させることができる。
【００１５】
４はディスクに対して信号の記録再生を行うために第１のガイド部２及び第３のガイド部１３によって矢印Ａ方向へ案内される光ピックアップで、第３のガイド部１３側に第１の規制部１ｄ及び第２の規制部１ｅと係合する凸状係合部４ｃを有する。凸状係合部４ｃは、先端の厚さ寸法（第１及び第２の規制部１ｄ及び１ｅによって位置規制される部位）が、光ピックアップ４全体の厚さ寸法よりも薄く形成されている。また、凸状係合部４ｃの下側には凹部４ｄが設けられており、この凹部４ｄ内に第２の規制部１ｅが位置することとなる。
【００１６】
５は光ピックアップ４を駆動するためのモータ、６〜８はモータ５の回転を第１のガイド部２に伝える歯車、９は光ピックアップ４に固定され第１のガイド部２の螺旋状溝に嵌合するように構成した線バネである。
【００１７】
１ｄは架台１に一体的に凸状係合部４ｃの上部に配され光ピックアップ４の上方向への位置規制を行っている第１の規制部、１ｅは架台１に一体的に凸状係合部４ｃの側部に配され光ピックアップ４の下方向への位置規制を行っている第２の規制部で、第１及び第２の規制部１ｄ及び１ｅで第３のガイド部１３を構成している。第１及び第２の規制部１ｄ及び１ｅは、図１に示すように光ピックアップ４をディスクの半径方向へ移動案内させるために必要な長さを、ディスクの半径方向へ形成している。１４はディスクを載置し回転させるターンテーブルである。
【００１８】
以上のように構成された本実施の形態の光ディスク装置について、以下その動作について説明する。
【００１９】
まず、光ピックアップ４の基本的な動作について説明する。ターンテーブル１４上に載置された円盤状の記録媒体（ディスク）に対してアクセスを行う際は、別途設けられた制御手段によりモータ５に対して動作制御がなされ、モータ５の軸は回転を始める。軸に配された歯車６が回転し、その回転力が歯車７及び歯車８を伝達し、第１のガイド部２に伝達される。第１のガイド部２が回転すると、第１のガイド部２の螺旋状溝２ａに螺合された光ピックアップ４が矢印Ａ方向へ移動する。この時、光ピックアップ４は、第１のガイド部２とともに第３のガイド部１３によって上下方向の位置規制をされながら、矢印Ａ方向へ案内される。そして、光ピックアップ４によってディスクの記録再生を行うことができる。
【００２０】
次に、第３のガイド部１３の動作について説明する。
【００２１】
凸状係合部４ｃは、その先端が図２に示すように、光ピックアップ４の厚さ寸法に比べて薄く形成されている。第１の規制部１ｄは、図２に示すように凸状係合部４ｃの上部位置に配されており、上方への動きを規制している。また、第２の規制部１ｅは、凸状係合部４ｃの側部に配され、その先端が矩形になっており凸状係合部４ｃの下部に配され、下方への動きを規制している。また第１の規制部１ｄと第２の規制部１ｅは、凸状係合部４ｃに対して、光ピックアップ４をディスク半径方向（矢印Ａ方向）に摺動可能かつ信号再生／記録に支障が無い、適切なクリアランスを維持しながら挟持している。
【００２２】
以上のように本実施の形態によれば、架台１に対する光ピックアップ４の保持形態を採用したので、架台１と光ピックアップ４と駆動機構５〜９等で構成する光ディスク記録再生装置全体の厚みを薄く構成できる。また第１の規制部１ｄと第２の規制部１ｅを架台１と一体に構成したことにより、組み立て工数も低減でき、さらに組み立て誤差に起因する精度の悪化を防ぐことによりピックアップの位置精度を高いものとすることができ、さらには部品点数削減によりコストダウンすることもできる。
【００２３】
従って、この構成を採用した光ディスク装置を用いることにより低コストで精度が高く薄い商品、特にポータブル機器を実現できる効果がある。
【００２４】
図２の凸状係合部４ｃであれば成形金型においてスライド構造等が必要なく、金型そのものの作成価格、寿命信頼性の向上に大いに役立つ。
【産業上の利用可能性】
【００２５】
本発明にかかる光ディスク装置は、光ピックに設けた凸状係合部を架台と一体に形成した規制部で摺動可能に挟持することにより薄型化ができ、一般的な据え置きタイプの商品だけでなく、より薄い商品が市場より望まれるポータブル機器の用途にも適用できる。
【図面の簡単な説明】
【００２６】
【図１】本発明の実施の形態１に於ける光ディスク装置の実施方法を示した平面図
【図２】本発明の実施の形態１に於ける光ディスク装置の実施方法を示した断面図
【図３】従来の光ディスク装置の金属ガイドシャフトによる光ピック保持関係を示した平面図
【図４】従来の光ディスク装置の金属ガイドシャフトによる光ピック保持関係を示した断面図
【図５】従来の光ディスク装置の架台と一体化したガイドによる光ピック保持関係を示した平面図
【図６】従来の光ディスク装置の架台と一体化したガイドによる光ピック保持関係を示した断面図
【符号の説明】
【００２７】
１    架台
１ａ    補強リブ
１ｂ    開口部
１ｃ    第３のガイド部
１ｄ    第１の規制部
１ｅ    第２の規制部
２    第１のガイドシャフト
２ａ    螺旋状溝
３    第２のガイド部
４    光ピックアップ
４ａ    第１の係合部
４ｂ    第２の係合部
４ｃ    凸状係合部
５    モータ
６〜８    歯車
９    線バネ
【図１】
2005222635.tif 000003
【図２】
2005222635.tif 000004
【図３】
2005222635.tif 000005
【図４】
2005222635.tif 000006
【図５】
2005222635.tif 000007
【図６】
2005222635.tif 000008